(57)【特許請求の範囲】
【請求項１】
夫々が識別番号を有する複数の記録情報片を作成する第１の情報片作成手段と、
夫々が一の前記記録情報片に対応する前記記録情報片の属性情報を含む複数の個別属性情報片を作成する第２の情報片作成手段と、
全ての前記個別属性情報片に含まれる情報の一部又は全部を集めてなる集合属性情報片を作成する第３の情報片作成手段と、
前記記録情報片、前記個別属性情報片及び前記集合属性情報片を記録媒体上に記録する記録手段と、を備え、
前記集合属性情報片においては、前記識別番号の順に従って前記個別属性情報片に含まれる情報が配列されることを特徴とする情報記録装置。
【請求項２】
前記記録情報片は映像情報を含み、
前記個別属性情報片及び集合属性情報片は、前記映像情報のビデオ圧縮モード、アスペクト比、及び表示モードを示す情報を夫々含むことを特徴とする請求項１に記載の情報記録装置。
【請求項３】
前記記録情報片は音声情報を含み、
前記個別属性情報片及び集合属性情報片は、前記音声情報の符号化方式、量子化ビット数、標本化周波数、及びチャンネル数を示す情報を夫々含むことを特徴とする請求項１又は２に記載の情報記録装置。
【請求項４】
前記記録情報片は副映像情報を含み、
前記個別属性情報片及び集合属性情報片は、前記副映像情報の符号化方式、及び種類を示す情報を夫々含むことを特徴とする請求項１乃至３のいずれか一に記載の情報記録装置。
【請求項５】
前記個別属性情報片及び集合属性情報片は、前記記録情報片に含まれる記録情報の種類を示すアプリケーションタイプ情報を夫々含むことを特徴とする請求項１乃至４のいずれか一に記載の情報記録装置。
【請求項６】
夫々が識別番号を有すると共に、映像情報を含む複数の記録情報片を作成する第１の情報片作成手段と、
夫々が一の前記記録情報片に対応し、対応する前記記録情報片の属性情報を含む複数の個別属性情報片を作成する第２の情報片作成手段と、
全ての前記記録情報片について、対応する前記個別属性情報片に含まれる情報の一部又は全部を集めてなる集合属性情報片を作成する第３の情報片作成手段と、
前記記録情報片、前記個別属性情報片及び前記集合属性情報片を記録媒体上に記録する記録手段と、を備え、
前記個別属性情報片及び集合属性情報片の双方は、前記映像情報のビデオ圧縮モード、アスペクト比、及び表示モードを示す情報を含むことを特徴とする情報記録装置。
【請求項７】
前記記録媒体はマスタディスクであり、
前記マスタディスクを用いてレプリカディスクを製造する手段をさらに備えることを特徴とする請求項１乃至６のいずれか一に記載の情報記録装置。
【請求項８】
複数の記録情報片と、
夫々が一の前記記録情報片に対応し、対応する前記記録情報片の属性情報を含む複数の個別属性情報片と、
全ての前記記録情報片について、対応する前記個別属性情報片に含まれる情報の一部又は全部を集めてなる集合属性情報片と、が記録され、
前記記録情報片が少なくとも一つのタイトルを含んで記録されている情報記録媒体から情報を再生する情報再生装置であって、
再生すべき前記タイトルの指定を行うための入力手段と、
前記集合属性情報片を参照して、前記指定されたタイトルに対応する属性情報の少なくとも一部に対応する表示信号を生成する表示信号生成手段と、
を備えることを特徴とする情報再生装置。
【請求項９】
前記入力手段は、前記表示信号に基づいて表示された属性情報の指定を可能とするものであり、
前記指定されたタイトルを、前記指定された属性情報に従って再生する再生手段を備えることを特徴とする請求項８に記載の情報再生装置。
【請求項１０】
複数の記録情報片と、
夫々が一の前記記録情報片に対応し、対応する前記記録情報片の属性情報を含む複数の個別属性情報片と、
全ての前記記録情報片について、対応する前記個別属性情報片に含まれる情報の一部又は全部を集めてなる集合属性情報片と、が記録され、
前記記録情報片が少なくとも一つのタイトルを含んで記録されている情報記録媒体から情報を再生する情報再生装置であって、
所定の属性に関する指定を行うための入力手段と、
前記集合属性情報片を参照して、前記指定された属性を有するタイトルに対応する表示信号を生成する表示信号生成手段と、
を備えることを特徴とする情報再生装置。
【請求項１１】
前記入力手段は、前記表示信号に基づいて表示されたタイトルの指定を行うものであり、
前記指定されたタイトルを再生する再生手段を備えることを特徴とする請求項１０に記載の情報再生装置。
【請求項１２】
複数の記録情報片と、
夫々が一の前記記録情報片に対応し、対応する前記記録情報片の属性情報を含む複数の個別属性情報片と、
全ての前記記録情報片について、対応する前記個別属性情報片に含まれる情報の一部又は全部を集めてなる集合属性情報片と、が記録され、
前記記録情報片が少なくとも一つのタイトルを含んで記録されている情報記録媒体から情報を再生する情報再生装置であって、
所定の機能に関する指定を行うための入力手段と、
前記集合属性情報片を参照して、前記指定された機能を実現可能なタイトルに対応する表示信号を生成する表示信号生成手段と、
を備えることを特徴とする情報再生装置。
【請求項１３】
前記入力手段は、前記表示信号に基づいて表示されたタイトルの指定を行うものであり、
前記指定されたタイトルを再生する再生手段を備えることを特徴とする請求項１２に記載の情報再生装置。
【請求項１４】
夫々が識別番号を有する複数の記録情報片を作成する第１の情報片作成手段と、
夫々が一の前記記録情報片に対応する前記記録情報片の属性情報を含む複数の個別属性情報片を作成する第２の情報片作成手段と、
全ての前記個別属性情報片に含まれる情報の一部又は全部を集めてなる集合属性情報片を作成する第３の情報片作成手段と、を有し、
前記集合属性情報片においては、前記識別番号の順に従って前記個別属性情報片に含まれる情報が配列されることを特徴とする情報処理装置。
【請求項１５】
前記記録情報片は映像情報を含み、
前記個別属性情報片及び集合属性情報片は、前記映像情報のビデオ圧縮モード、アスペクト比、及び表示モードを示す情報を夫々含むことを特徴とする請求項１４に記載の情報処理装置。
【請求項１６】
前記記録情報片は音声情報を含み、
前記個別属性情報片及び集合属性情報片は、前記音声情報の符号化方式、量子化ビット数、標本化周波数、及びチャンネル数を示す情報を夫々含むことを特徴とする請求項１４又は１５に記載の情報処理装置。
【請求項１７】
前記記録情報片は副映像情報を含み、
前記個別属性情報片及び集合属性情報片は、前記副映像情報の符号化方式、及び種類を示す情報を夫々含むことを特徴とする請求項１４乃至１６のいずれか一に記載の情報処理装置。
【請求項１８】
前記個別属性情報片及び集合属性情報片は、前記記録情報片に含まれる記録情報の種類を示すアプリケーションタイプ情報を夫々含むことを特徴とする請求項１４乃至１７のいずれか一に記載の情報処理装置。
【請求項１９】
夫々が識別番号を有すると共に、映像情報を含む複数の記録情報片を作成する第１の情報片作成手段と、
夫々が一の前記記録情報片に対応する前記記録情報片の属性情報を含む複数の個別属性情報片を作成する第２の情報片作成手段と、
全ての前記記録情報片について、対応する前記個別属性情報片に含まれる情報の一部又は全部を集めてなる集合属性情報片を作成する第３の情報片作成手段と、を備え、
前記個別属性情報片及び集合属性情報片の双方は、前記映像情報のビデオ圧縮モード、アスペクト比、及び表示モードを示す情報を含むことを特徴とする情報処理装置。
【請求項２０】
夫々が識別番号を有する複数の記録情報片を作成する第１の情報片作成工程と、
夫々が一の前記記録情報片に対応する前記記録情報片の属性情報を含む複数の個別属性情報片を作成する第２の情報片作成工程と、
全ての前記個別属性情報片に含まれる情報の一部又は全部を集めてなる集合属性情報片を作成する第３の情報片作成工程と、
前記記録情報片、前記個別属性情報片及び前記集合属性情報片を記録媒体上に記録する記録工程と、を含み、
前記集合属性情報片においては、前記識別番号の順に従って前記個別属性情報片に含まれる情報が配列されることを特徴とする情報記録方法。
【請求項２１】
前記記録情報片は映像情報を含み、
前記個別属性情報片及び集合属性情報片は、前記映像情報のビデオ圧縮モード、アスペクト比、及び表示モードを示す情報を夫々含むことを特徴とする請求項２０に記載の情報記録方法。
【請求項２２】
前記記録情報片は音声情報を含み、
前記個別属性情報片及び集合属性情報片は、前記音声情報の符号化方式、量子化ビット数、標本化周波数、及びチャンネル数を示す情報を夫々含むことを特徴とする請求項２０又は２１に記載の情報記録方法。
【請求項２３】
前記記録情報片は副映像情報を含み、
前記個別属性情報片及び集合属性情報片は、前記副映像情報の符号化方式、及び種類を示す情報を夫々含むことを特徴とする請求項２０乃至２２のいずれか一に記載の情報記録方法。
【請求項２４】
前記個別属性情報片及び集合属性情報片は、前記記録情報片に含まれる記録情報の種類を示すアプリケーションタイプ情報を夫々含むことを特徴とする請求項２０乃至２３のいずれか一に記載の情報記録方法。
【請求項２５】
夫々が識別番号を有すると共に、映像情報を含む複数の記録情報片を作成する第１の情報片作成工程と、
夫々が一の前記記録情報片に対応し、対応する前記記録情報片の属性情報を含む複数の個別属性情報片を作成する第２の情報片作成工程と、
全ての前記記録情報片について、対応する前記個別属性情報片に含まれる情報の一部又は全部を集めてなる集合属性情報片を作成する第３の情報片作成工程と、
前記記録情報片、前記個別属性情報片及び前記集合属性情報片を記録媒体上に記録する記録工程と、を含み、
前記個別属性情報片及び集合属性情報片の双方は、前記映像情報のビデオ圧縮モード、アスペクト比、及び表示モードを示す情報を含むことを特徴とする情報記録方法。
【請求項２６】
前記記録媒体はマスタディスクであり、
前記マスタディスクを用いてレプリカディスクを製造する工程をさらに備えることを特徴とする請求項２０乃至２５のいずれか一に記載の情報記録方法。
【請求項２７】
複数の記録情報片と、
夫々が一の前記記録情報片に対応し、対応する前記記録情報片の属性情報を含む複数の個別属性情報片と、
全ての前記記録情報片について、対応する前記個別属性情報片に含まれる情報の一部又は全部を集めてなる集合属性情報片と、が記録され、
前記記録情報片が少なくとも一つのタイトルを含んで記録されている情報記録媒体から情報を再生する情報再生方法であって、
再生すべき前記タイトルの指定を行う入力工程と、
前記集合属性情報片を参照して、前記指定されたタイトルに対応する属性情報の少なくとも一部に対応する表示信号を生成する表示信号生成工程と、
を備えることを特徴とする情報再生方法。
【請求項２８】
前記表示信号に基づいて表示された属性情報の指定を行う第２の入力工程と、
前記指定されたタイトルを、前記指定された属性情報に従って再生する再生工程と、
を備えることを特徴とする請求項２７に記載の情報再生方法。
【請求項２９】
複数の記録情報片と、
夫々が一の前記記録情報片に対応し、対応する前記記録情報片の属性情報を含む複数の個別属性情報片と、
全ての前記記録情報片について、対応する前記個別属性情報片に含まれる情報の一部又は全部を集めてなる集合属性情報片と、が記録され、
前記記録情報片が少なくとも一つのタイトルを含んで記録されている情報記録媒体から情報を再生する情報再生方法であって、
所定の属性に関する指定を行う入力工程と、
前記集合属性情報片を参照して、前記指定された属性を有するタイトルに対応する表示信号を生成する表示信号生成工程と、
を備えることを特徴とする情報再生方法。
【請求項３０】
前記表示信号に基づいて表示されたタイトルの指定を行う第２の入力工程と、
前記指定されたタイトルを再生する再生工程と、
を備えることを特徴とする請求項２９に記載の情報再生方法。
【請求項３１】
複数の記録情報片と、
夫々が一の前記記録情報片に対応し、対応する前記記録情報片の属性情報を含む複数の個別属性情報片と、
全ての前記記録情報片について、対応する前記個別属性情報片に含まれる情報の一部又は全部を集めてなる集合属性情報片と、が記録され、
前記記録情報片が少なくとも一つのタイトルを含んで記録されている情報記録媒体から情報を再生する情報再生方法であって、
所定の機能に関する指定を行う入力工程と、
前記集合属性情報片を参照して、前記指定された機能を実現可能なタイトルに対応する表示信号を生成する表示信号生成工程と、
を備えることを特徴とする情報再生方法。
【請求項３２】
前記表示信号に基づいて表示されたタイトルの指定を行う第２の入力工程と、
前記指定されたタイトルを再生する再生工程と、
を備えることを特徴とする請求項３１に記載の情報再生方法。
【請求項３３】
夫々が識別番号を有する複数の記録情報片を作成する第１の情報片作成工程と、
夫々が一の前記記録情報片に対応する前記記録情報片の属性情報を含む複数の個別属性情報片を作成する第２の情報片作成工程と、
全ての前記個別属性情報片に含まれる情報の一部又は全部を集めてなる集合属性情報片を作成する第３の情報片作成工程と、を有し、
前記集合属性情報片においては、前記識別番号の順に従って前記個別属性情報片に含まれる情報が配列されることを特徴とする情報処理方法。
【請求項３４】
前記記録情報片は映像情報を含み、
前記個別属性情報片及び集合属性情報片は、前記映像情報のビデオ圧縮モード、アスペクト比、及び表示モードを示す情報を夫々含むことを特徴とする請求項３３に記載の情報処理方法。
【請求項３５】
前記記録情報片は音声情報を含み、
前記個別属性情報片及び集合属性情報片は、前記音声情報の符号化方式、量子化ビット数、標本化周波数、及びチャンネル数を示す情報を夫々含むことを特徴とする請求項３３又は３４に記載の情報処理方法。
【請求項３６】
前記記録情報片は副映像情報を含み、
前記個別属性情報片及び集合属性情報片は、前記副映像情報の符号化方式、及び種類を示す情報を夫々含むことを特徴とする請求項３３乃至３５のいずれか一に記載の情報処理方法。
【請求項３７】
前記個別属性情報片及び集合属性情報片は、前記記録情報片に含まれる記録情報の種類を示すアプリケーションタイプ情報を夫々含むことを特徴とする請求項３３乃至３６のいずれか一に記載の情報処理方法。
【請求項３８】
夫々が識別番号を有すると共に、映像情報を含む複数の記録情報片を作成する第１の情報片作成工程と、
夫々が一の前記記録情報片に対応する前記記録情報片の属性情報を含む複数の個別属性情報片を作成する第２の情報片作成工程と、
全ての前記記録情報片について、対応する前記個別属性情報片に含まれる情報の一部又は全部を集めてなる集合属性情報片を作成する第３の情報片作成工程と、を含み、
前記個別属性情報片及び集合属性情報片の双方は、前記映像情報のビデオ圧縮モード、アスペクト比、及び表示モードを示す情報を含むことを特徴とする情報処理方法。
【発明の詳細な説明】
【０００１】
【発明の属する技術分野】
本発明は、ＤＶＤ（Digital Video Disk）に代表される画像、音声等の情報を高密度に記録可能な高密度光ディスク等の情報記録媒体、並びに当該情報記録媒体に情報を記録するための記録装置、及び当該情報記録媒体から情報を再生するための再生装置の技術分野に属する。
【０００２】
【従来の技術】
従来は、画像、音声等の情報が記録された光ディスクとしては、いわゆるＬＤ（Laser Disk）、ＣＤ（Compact Disk）等が広く一般化している。
【０００３】
これらのＬＤ等においては、画像情報や音声情報が、各ＬＤ等が有する再生開始位置を基準とした夫々の情報を再生すべき時刻を示す時間情報と共に記録されている。このため、記録されている情報を記録されている順序で再生する一般的な通常再生の他、例えば、ＣＤにおいては、記録されている複数の曲のうち、聞きたい曲のみを抽出して聞いたり、再生順序をランダムに変えて聞く等の再生が可能である。
【０００４】
しかしながら、上記ＬＤ等においては、表示される画像や再生される音声について視聴者が選択枝をもち、当該視聴者がそれらを選択して視聴する等のいわゆるインタラクティブな変化に富んだ再生はできないという問題点があった。
【０００５】
すなわち、例えば、ＬＤに記録されている外国映画を視聴する場合に、画面に表示されている字幕で用いられている言語を選択して（例えば、日本語の字幕と原語の字幕を選択して）表示させたり、又はＣＤに記録されている音楽を聴取する場合に、その音楽の音声を選択する（例えば、英語の歌詞で聞くか或は日本語の歌詞で聞くかを選択する）ことができないのである。
【０００６】
一方、現在、上記従来のＣＤに対して、光ディスク自体の大きさを変えずに記憶容量を約１０倍に向上させた光ディスクであるＤＶＤについての提案や開発が盛んである。ＤＶＤでは、集合して連続的な映像、音楽等の情報を構成する複数の単位情報が分割されてディスク上に記録されており、それら単位情報についての制御情報が個々の単位情報に対応する形で記録されている。従って、個々の単位情報を再生する際には該制御情報を参照することになる。この制御情報には、単位情報を再生する際の順序等を示す情報の他、当該単位情報の属性等を示す情報が含まれている。
【０００７】
【発明が解決しようとする課題】
しかしながら、このように属性情報が個々の単位情報と対になった形で、その前後の位置にのみ記録されていると、ディスク上でその単位情報をサーチしてからでなければ、その内容を知ることができない。従って、ユーザーが情報の再生指示をする際に、ある特定の機能や仕様を指定した場合でも、その機能等が実現可能であるか否かは実際に該当する制御情報をサーチし、その内容を参照してからでなければ知ることができない。よって、ユーザーの指示する機能が実現できない場合であっても、再生装置はユーザーの指示に対してまず該当する制御情報をサーチし、その内容を読み取り、それからユーザーに対し希望の機能が実現できないことを告知することになる。しかし、ユーザーにしてみれば、指示入力後サーチに要する時間だけ待たされたうえ、結局希望の機能が実現できないと知らされるのでは不愉快であり、使い勝手が良いとは言えない。
【０００８】
一方、ＤＶＤの製作者が予め各単位情報についての様々な機能や仕様を表示するメニュー画面を作成し、ＤＶＤ上に記録している場合には、ユーザーはこれを利用することにより希望の機能等を迅速に行わせることが可能となる。しかし、メニュー画面を作成するか否かはあくまでソフトの製作者側が決めることであり、全ての製作者に対しメニュー画面を作成することを強要することはできない。よって、メニュー画面の用意されていないＤＶＤソフトを再生する場合には、以前として上述のような不具合が解消されない。
【０００９】
そこで、本発明の課題は、ユーザーの要求する機能等に対して迅速に対応して再生ができるとともに、さらには、再生装置側で積極的に実現可能な機能を表示してユーザーの選択を促すことができるように情報が記録された情報記録媒体、及びそのための記録、再生装置を提供することにある。
【００１０】
【課題を解決するための手段】
上記の課題を解決するために、請求項１記載の発明は、夫々が識別番号を有する複数の記録情報片を作成する第１の情報片作成手段と、夫々が一の前記記録情報片に対応する前記記録情報片の属性情報を含む複数の個別属性情報片を作成する第２の情報片作成手段と、全ての前記個別属性情報片に含まれる情報の一部又は全部を集めてなる集合属性情報片を作成する第３の情報片作成手段と、前記記録情報片、前記個別属性情報片及び前記集合属性情報片を記録媒体上に記録する記録手段と、を備え、前記集合属性情報片においては、前記識別番号の順に従って前記個別属性情報片に含まれる情報が配列されるように構成する。
請求項１に記載の発明によれば、第１の情報片作成手段は、夫々が識別番号を有する複数の記録情報片を作成する。
一方、第２の情報片作成手段は、夫々が一の記録情報片に対応する記録情報片の属性情報を含む複数の個別属性情報片を作成する。
更に、第３の情報片作成手段は、全ての個別属性情報片に含まれる情報の一部又は全部を集めてなる集合属性情報片を作成する。
これらにより、記録手段は、記録情報片、個別属性情報片及び集合属性情報片を記録媒体上に記録する。
このとき、集合属性情報片においては、識別番号の順に従って個別属性情報片に含まれる情報が配列される。
よって、個々の記録情報片に対応してその属性に関する情報を含む個別属性情報片が設けられると共に、全ての個別属性情報片に含まれる情報の一部又は全部を集めてなる集合属性情報片が作成され、これらが記録情報片と共に記録される。そしてこのとき、集合属性情報片においては、識別番号の順に従って個別属性情報片に含まれる情報が配列されるので、この集合属性情報片を利用することにより、記録情報片についての属性情報を容易かつ迅速に得ることが可能となる。
【００１１】
上記の課題を解決するために、請求項６に記載の発明は、夫々が識別番号を有すると共に、映像情報を含む複数の記録情報片を作成する第１の情報片作成手段と、夫々が一の前記記録情報片に対応し、対応する前記記録情報片の属性情報を含む複数の個別属性情報片を作成する第２の情報片作成手段と、全ての前記記録情報片について、対応する前記個別属性情報片に含まれる情報の一部又は全部を集めてなる集合属性情報片を作成する第３の情報片作成手段と、前記記録情報片、前記個別属性情報片及び前記集合属性情報片を記録媒体上に記録する記録手段と、を備え、前記個別属性情報片及び集合属性情報片の双方は、前記映像情報のビデオ圧縮モード、アスペクト比、及び表示モードを示す情報を含むように構成する。
請求項６に記載の発明によれば、第１の情報片作成手段は、夫々が識別番号を有すると共に、映像情報を含む複数の記録情報片を作成する。
一方、第２の情報片作成手段は、夫々が一の記録情報片に対応し、対応する記録情報片の属性情報を含む複数の個別属性情報片を作成する。
更に、第３の情報片作成手段は、全ての記録情報片について、対応する個別属性情報片に含まれる情報の一部又は全部を集めてなる集合属性情報片を作成する。
これらにより、記録手段は、記録情報片、個別属性情報片及び集合属性情報片を記録媒体上に記録する。
このとき、個別属性情報片及び集合属性情報片の双方が映像情報のビデオ圧縮モード、アスペクト比、及び表示モードを示す情報を含むように構成されている。
よって、個々の記録情報片に対応してその属性に関する情報を含む個別属性情報片が設けられると共に、全ての個別属性情報片に含まれる情報の一部又は全部を集めてなる集合属性情報片が作成され、これらが記録情報片と共に記録される。そしてこのとき、集合属性情報片及び個別属性情報片の双方において、映像情報のビデオ圧縮モード、アスペクト比、及び表示モードを示す情報が含まれているので、この集合属性情報片又は個別属性情報片を利用することにより、記録情報片に含まれている映像情報についての属性情報を容易かつ迅速に得ることが可能となる。
【００１２】
上記の課題を解決するために、請求項８に記載の発明は、複数の記録情報片と、夫々が一の前記記録情報片に対応し、対応する前記記録情報片の属性情報を含む複数の個別属性情報片と、全ての前記記録情報片について、対応する前記個別属性情報片に含まれる情報の一部又は全部を集めてなる集合属性情報片と、が記録され、前記記録情報片が少なくとも一つのタイトルを含んで記録されている情報記録媒体から情報を再生する情報再生装置であって、再生すべき前記タイトルの指定を行うための入力手段と、前記集合属性情報片を参照して、前記指定されたタイトルに対応する属性情報の少なくとも一部に対応する表示信号を生成する表示信号生成手段と、を備える。
請求項８に記載の発明によれば、入力手段は、再生すべきタイトルの指定を行うために用いられる。
そして、表示信号生成手段は、集合属性情報片を参照して、定されたタイトルに対応する属性情報の少なくとも一部に対応する表示信号を生成する。
よって、情報の再生時において、集合属性情報片を参照して、指定されたタイトルに対応する属性情報の少なくとも一部に対応する表示信号を生成するので、分散して記録されている個々の個別属性情報片を読み取る必要はなく、指定されたタイトルに対応する属性情報を迅速に使用者に告知することができる。また、使用者はこの告知結果を参照して再生すべき記録情報片を指定できる。
【００１３】
上記の課題を解決するために、請求項１０に記載の発明は、複数の記録情報片と、夫々が一の前記記録情報片に対応し、対応する前記記録情報片の属性情報を含む複数の個別属性情報片と、全ての前記記録情報片について、対応する前記個別属性情報片に含まれる情報の一部又は全部を集めてなる集合属性情報片と、が記録され、前記記録情報片が少なくとも一つのタイトルを含んで記録されている情報記録媒体から情報を再生する情報再生装置であって、所定の属性に関する指定を行うための入力手段と、前記集合属性情報片を参照して、前記指定された属性を有するタイトルに対応する表示信号を生成する表示信号生成手段と、を備える。
請求項１０に記載の発明によれば、入力手段は、所定の属性に関する指定を行うために用いられる。
そして、表示信号生成手段は、集合属性情報片を参照して、指定された属性を有するタイトルに対応する表示信号を生成する。
よって、情報の再生時において、集合属性情報片を参照して、指定された属性を有するタイトルに対応する表示信号を生成するので、分散して記録されている個々の個別属性情報片を読み取る必要はなく、指定された属性に対応するタイトルを迅速に使用者に告知することができる。また、使用者はこの告知結果を参照して再生すべきタイトルを含む記録情報片を指定できる。
【００１４】
上記の課題を解決するために、請求項１２に記載の発明は、複数の記録情報片と、夫々が一の前記記録情報片に対応し、対応する前記記録情報片の属性情報を含む複数の個別属性情報片と、全ての前記記録情報片について、対応する前記個別属性情報片に含まれる情報の一部又は全部を集めてなる集合属性情報片と、が記録され、前記記録情報片が少なくとも一つのタイトルを含んで記録されている情報記録媒体から情報を再生する情報再生装置であって、所定の機能に関する指定を行うための入力手段と、前記集合属性情報片を参照して、前記指定された機能を実現可能なタイトルに対応する表示信号を生成する表示信号生成手段と、を備える。
請求項１２に記載の発明によれば、入力手段は、所定の機能に関する指定を行うために用いられる。
そして、表示信号生成手段は、集合属性情報片を参照して、指定された機能を実現可能なタイトルに対応する表示信号を生成する。
よって、情報の再生時において、集合属性情報片を参照して、指定された機能を実現可能なタイトルに対応する表示信号を生成するので、分散して記録されている個々の個別属性情報片を読み取る必要はなく、指定された機能を実現可能なタイトルを迅速に使用者に告知することができる。また、使用者はこの告知結果を参照して再生すべきタイトルを含む記録情報片を指定できる。
【００１５】
上記の課題を解決するために、請求項１４に記載の発明は、夫々が識別番号を有する複数の記録情報片を作成する第１の情報片作成手段と、夫々が一の前記記録情報片に対応する前記記録情報片の属性情報を含む複数の個別属性情報片を作成する第２の情報片作成手段と、全ての前記個別属性情報片に含まれる情報の一部又は全部を集めてなる集合属性情報片を作成する第３の情報片作成手段と、を有し、前記集合属性情報片においては、前記識別番号の順に従って前記個別属性情報片に含まれる情報が配列される。
請求項１４に記載の発明によれば、第１の情報片作成手段は、夫々が識別番号を有する複数の記録情報片を作成する。
一方、第２の情報片作成手段は、夫々が一の記録情報片に対応する記録情報片の属性情報を含む複数の個別属性情報片を作成する。
更に、第３の情報片作成手段は、全ての個別属性情報片に含まれる情報の一部又は全部を集めてなる集合属性情報片を作成する。
このとき、集合属性情報片においては、識別番号の順に従って個別属性情報片に含まれる情報が配列される。
よって、個々の記録情報片に対応してその属性に関する情報を含む個別属性情報片が設けられると共に、全ての個別属性情報片に含まれる情報の一部又は全部を集めてなる集合属性情報片が作成される。そしてこのとき、集合属性情報片においては、識別番号の順に従って個別属性情報片に含まれる情報が配列される。従って、作成された集合属性情報片を記録情報片と共に記録することで、当該記録媒体からの情報の再生時においてこの集合属性情報片を利用することにより、記録情報片についての属性情報を容易かつ迅速に得ることが可能となる。
【００１６】
上記の課題を解決するために、請求項１９に記載の発明は、夫々が識別番号を有すると共に、映像情報を含む複数の記録情報片を作成する第１の情報片作成手段と、夫々が一の前記記録情報片に対応する前記記録情報片の属性情報を含む複数の個別属性情報片を作成する第２の情報片作成手段と、全ての前記記録情報片について、対応する前記個別属性情報片に含まれる情報の一部又は全部を集めてなる集合属性情報片を作成する第３の情報片作成手段と、を備え、前記個別属性情報片及び集合属性情報片の双方は、前記映像情報のビデオ圧縮モード、アスペクト比、及び表示モードを示す情報を含むように構成される。
請求項１９に記載の発明によれば、第１の情報片作成手段は、夫々が識別番号を有すると共に、映像情報を含む複数の記録情報片を作成する。
一方、第２の情報片作成手段は、夫々が一の記録情報片に対応し、対応する記録情報片の属性情報を含む複数の個別属性情報片を作成する。
更に、第３の情報片作成手段は、全ての記録情報片について、対応する個別属性情報片に含まれる情報の一部又は全部を集めてなる集合属性情報片を作成する。
このとき、個別属性情報片及び集合属性情報片の双方が映像情報のビデオ圧縮モード、アスペクト比、及び表示モードを示す情報を含むように構成されている。
よって、個々の記録情報片に対応してその属性に関する情報を含む個別属性情報片が設けられると共に、全ての個別属性情報片に含まれる情報の一部又は全部を集めてなる集合属性情報片が作成される。そしてこのとき、集合属性情報片及び個別属性情報片の双方において、映像情報のビデオ圧縮モード、アスペクト比、及び表示モードを示す情報が含まれている。従って、作成された集合属性情報片及び個別属性情報片の双方を記録情報片と共に記録媒体に記録することで、当該記録媒体からの情報の再生時においてこれら集合属性情報片又は個別属性情報片を利用することにより、記録情報片に含まれている映像情報についての属性情報を容易かつ迅速に得ることが可能となる。
【００１７】
上記の課題を解決するために，請求項２０に記載の発明は，夫々が識別番号を有する複数の記録情報片を作成する第１の情報片作成工程と、夫々が一の前記記録情報片に対応する前記記録情報片の属性情報を含む複数の個別属性情報片を作成する第２の情報片作成工程と、全ての前記個別属性情報片に含まれる情報の一部又は全部を集めてなる集合属性情報片を作成する第３の情報片作成工程と、前記記録情報片、前記個別属性情報片及び前記集合属性情報片を記録媒体上に記録する記録工程と、を含み、前記集合属性情報片においては、前記識別番号の順に従って前記個別属性情報片に含まれる情報が配列される。
請求項２０に記載の発明によれば、第１の情報片作成工程において、夫々が識別番号を有する複数の記録情報片を作成する。
一方、第２の情報片作成工程において、夫々が一の記録情報片に対応する記録情報片の属性情報を含む複数の個別属性情報片を作成する。
更に、第３の情報片作成工程において、全ての個別属性情報片に含まれる情報の一部又は全部を集めてなる集合属性情報片を作成する。
これらにより、記録工程において、記録情報片、個別属性情報片及び集合属性情報片を記録媒体上に記録する。
このとき、集合属性情報片においては、識別番号の順に従って個別属性情報片に含まれる情報が配列される。
よって、個々の記録情報片に対応してその属性に関する情報を含む個別属性情報片が設けられると共に、全ての個別属性情報片に含まれる情報の一部又は全部を集めてなる集合属性情報片が作成され、これらが記録情報片と共に記録される。そしてこのとき、集合属性情報片においては、識別番号の順に従って個別属性情報片に含まれる情報が配列されるので、この集合属性情報片を利用することにより、記録情報片についての属性情報を容易かつ迅速に得ることが可能となる。
【００１８】
上記の課題を解決するために、請求項２５に記載の発明は、夫々が識別番号を有すると共に、映像情報を含む複数の記録情報片を作成する第１の情報片作成工程と、夫々が一の前記記録情報片に対応し、対応する前記記録情報片の属性情報を含む複数の個別属性情報片を作成する第２の情報片作成工程と、全ての前記記録情報片について、対応する前記個別属性情報片に含まれる情報の一部又は全部を集めてなる集合属性情報片を作成する第３の情報片作成工程と、前記記録情報片、前記個別属性情報片及び前記集合属性情報片を記録媒体上に記録する記録工程と、を含み、前記個別属性情報片及び集合属性情報片の双方は、前記映像情報のビデオ圧縮モード、アスペクト比、及び表示モードを示す情報を含むように構成される。
請求項２５に記載の発明によれば、第１の情報片作成工程において、夫々が識別番号を有すると共に、映像情報を含む複数の記録情報片を作成する。
一方、第２の情報片作成工程において、夫々が一の記録情報片に対応し、対応する記録情報片の属性情報を含む複数の個別属性情報片を作成する。
更に、第３の情報片作成工程において、全ての記録情報片について、対応する個別属性情報片に含まれる情報の一部又は全部を集めてなる集合属性情報片を作成する。
これらにより、記録工程において、記録情報片、個別属性情報片及び集合属性情報片を記録媒体上に記録する。
このとき、個別属性情報片及び集合属性情報片の双方が映像情報のビデオ圧縮モード、アスペクト比、及び表示モードを示す情報を含むように構成されている。
よって、個々の記録情報片に対応してその属性に関する情報を含む個別属性情報片が設けられると共に、全ての個別属性情報片に含まれる情報の一部又は全部を集めてなる集合属性情報片が作成され、これらが記録情報片と共に記録される。そしてこのとき、集合属性情報片及び個別属性情報片の双方において、映像情報のビデオ圧縮モード、アスペクト比、及び表示モードを示す情報が含まれているので、この集合属性情報片又は個別属性情報片を利用することにより、記録情報片に含まれている映像情報についての属性情報を容易かつ迅速に得ることが可能となる。
【００１９】
上記の課題を解決するために、請求項２７に記載の発明は、複数の記録情報片と、夫々が一の前記記録情報片に対応し、対応する前記記録情報片の属性情報を含む複数の個別属性情報片と、全ての前記記録情報片について、対応する前記個別属性情報片に含まれる情報の一部又は全部を集めてなる集合属性情報片と、が記録され、前記記録情報片が少なくとも一つのタイトルを含んで記録されている情報記録媒体から情報を再生する情報再生方法であって、再生すべき前記タイトルの指定を行う入力工程と、前記集合属性情報片を参照して、前記指定されたタイトルに対応する属性情報の少なくとも一部に対応する表示信号を生成する表示信号生成工程と、を備える。
請求項２７に記載の発明によれば、入力工程において、再生すべきタイトルの指定を行う。
そして、表示信号生成工程において、集合属性情報片を参照して、指定されたタイトルに対応する属性情報の少なくとも一部に対応する表示信号を生成する。
よって、情報の再生時において、集合属性情報片を参照して、指定されたタイトルに対応する属性情報の少なくとも一部に対応する表示信号を生成するので、分散して記録されている個々の個別属性情報片を読み取る必要はなく、指定されたタイトルに対応する属性情報を迅速に使用者に告知することができる。また、使用者はこの告知結果を参照して再生すべき記録情報片を指定できる。
【００２０】
上記の課題を解決するために、請求項２９に記載の発明は、複数の記録情報片と、夫々が一の前記記録情報片に対応し、対応する前記記録情報片の属性情報を含む複数の個別属性情報片と、全ての前記記録情報片について、対応する前記個別属性情報片に含まれる情報の一部又は全部を集めてなる集合属性情報片と、が記録され、前記記録情報片が少なくとも一つのタイトルを含んで記録されている情報記録媒体から情報を再生する情報再生方法であって、所定の属性に関する指定を行う入力工程と、前記集合属性情報片を参照して、前記指定された属性を有するタイトルに対応する表示信号を生成する表示信号生成工程と、を備える。
請求項２９に記載の発明によれば、入力工程において、所定の属性に関する指定を行う。
そして、表示信号生成工程において、集合属性情報片を参照して、指定された属性を有するタイトルに対応する表示信号を生成する。
よって、情報の再生時において、集合属性情報片を参照して、指定された属性を有するタイトルに対応する表示信号を生成するので、分散して記録されている個々の個別属性情報片を読み取る必要はなく、指定された属性に対応するタイトルを迅速に使用者に告知することができる。また、使用者はこの告知結果を参照して再生すべきタイトルを含む記録情報片を指定できる。
【００２１】
上記の課題を解決するために、請求項３１に記載の発明は、複数の記録情報片と、夫々が一の前記記録情報片に対応し、対応する前記記録情報片の属性情報を含む複数の個別属性情報片と、全ての前記記録情報片について、対応する前記個別属性情報片に含まれる情報の一部又は全部を集めてなる集合属性情報片と、が記録され、前記記録情報片が少なくとも一つのタイトルを含んで記録されている情報記録媒体から情報を再生する情報再生方法であって、所定の機能に関する指定を行う入力工程と、前記集合属性情報片を参照して、前記指定された機能を実現可能なタイトルに対応する表示信号を生成する表示信号生成工程と、を備える。
請求項３１に記載の発明によれば、入力工程において、所定の機能に関する指定を行う。
そして、表示信号生成工程において、集合属性情報片を参照して、指定された機能を実現可能なタイトルに対応する表示信号を生成する。
【００２２】
よって、情報の再生時において、集合属性情報片を参照して、指定された機能を実現可能なタイトルに対応する表示信号を生成するので、分散して記録されている個々の個別属性情報片を読み取る必要はなく、指定された機能を実現可能なタイトルを迅速に使用者に告知することができる。また、使用者はこの告知結果を参照して再生すべきタイトルを含む記録情報片を指定できる。
【００２３】
上記の課題を解決するために、請求項３３に記載の発明は、夫々が識別番号を有する複数の記録情報片を作成する第１の情報片作成工程と、夫々が一の前記記録情報片に対応する前記記録情報片の属性情報を含む複数の個別属性情報片を作成する第２の情報片作成工程と、全ての前記個別属性情報片に含まれる情報の一部又は全部を集めてなる集合属性情報片を作成する第３の情報片作成工程と、を有し、前記集合属性情報片においては、前記識別番号の順に従って前記個別属性情報片に含まれる情報が配列される。
請求項３３に記載の発明によれば、第１の情報片作成工程において、夫々が識別番号を有する複数の記録情報片を作成する。
一方、第２の情報片作成工程において、夫々が一の記録情報片に対応する記録情報片の属性情報を含む複数の個別属性情報片を作成する。
更に、第３の情報片作成工程において、全ての個別属性情報片に含まれる情報の一部又は全部を集めてなる集合属性情報片を作成する。
このとき、集合属性情報片においては、識別番号の順に従って個別属性情報片に含まれる情報が配列される。
【００２４】
よって、個々の記録情報片に対応してその属性に関する情報を含む個別属性情報片が設けられると共に、全ての個別属性情報片に含まれる情報の一部又は全部を集めてなる集合属性情報片が作成される。そしてこのとき、集合属性情報片においては、識別番号の順に従って個別属性情報片に含まれる情報が配列される。従って、作成された集合属性情報片を記録情報片と共に記録することで、当該記録媒体からの情報の再生時においてこの集合属性情報片を利用することにより、記録情報片についての属性情報を容易かつ迅速に得ることが可能となる。
【００２５】
上記の課題を解決するために、請求項３８に記載の発明は、夫々が識別番号を有すると共に、映像情報を含む複数の記録情報片を作成する第１の情報片作成工程と、夫々が一の前記記録情報片に対応する前記記録情報片の属性情報を含む複数の個別属性情報片を作成する第２の情報片作成工程と、全ての前記記録情報片について、対応する前記個別属性情報片に含まれる情報の一部又は全部を集めてなる集合属性情報片を作成する第３の情報片作成工程と、を含み、前記個別属性情報片及び集合属性情報片の双方は、前記映像情報のビデオ圧縮モード、アスペクト比、及び表示モードを示す情報を含むように構成される。
請求項３８に記載の発明によれば、第１の情報片作成工程において、夫々が識別番号を有すると共に、映像情報を含む複数の記録情報片を作成する。
一方、第２の情報片作成工程において、夫々が一の記録情報片に対応し、対応する記録情報片の属性情報を含む複数の個別属性情報片を作成する。
更に、第３の情報片作成工程において、全ての記録情報片について、対応する個別属性情報片に含まれる情報の一部又は全部を集めてなる集合属性情報片を作成する。
このとき、個別属性情報片及び集合属性情報片の双方が映像情報のビデオ圧縮モード、アスペクト比、及び表示モードを示す情報を含むように構成されている。
【００２６】
よって、個々の記録情報片に対応してその属性に関する情報を含む個別属性情報片が設けられると共に、全ての個別属性情報片に含まれる情報の一部又は全部を集めてなる集合属性情報片が作成される。そしてこのとき、集合属性情報片及び個別属性情報片の双方において、映像情報のビデオ圧縮モード、アスペクト比、及び表示モードを示す情報が含まれている。従って、作成された集合属性情報片及び個別属性情報片の双方を記録情報片と共に記録媒体に記録することで、当該記録媒体からの情報の再生時においてこれら集合属性情報片又は個別属性情報片を利用することにより、記録情報片に含まれている映像情報についての属性情報を容易かつ迅速に得ることが可能となる。
【００２７】
【発明の実施の形態】
次に、本発明に好適な実施の形態について説明する。なお、以下に説明する実施の形態は、上記ＤＶＤに対して本発明を適用した実施の形態について説明するものである。
【００２８】
なお、以下の実施の形態においては、下記リストの左側に示した特許請求の範囲における各構成要素の一例が、下記リストの右側に示した要素から夫々構成されている。
【００２９】
記録情報片：ＶＴＳ（Video Title Set ）
個別属性情報片：ＶＴＳ属性情報
集合属性情報片：ＶＴＳ属性情報テーブル
［１］情報記録媒体の実施の形態
始めに、本発明が適用された情報記録媒体の実施の一形態であるＤＶＤの物理的及び論理的な構成並びにその動作について、図１乃至図４を用いて説明する。
【００３０】
始めに、映像情報及び音声情報のＤＶＤ上における記録フォーマット（物理的記録フォーマット）について、図１を用いて説明する。
図１に示すように、実施形態のＤＶＤ１は、その最内周部にリードインエリアＬＩを有すると共にその最外周部にリードアウトエリアＬＯを有しており、その間に、映像情報及び音声情報が、夫々にＩＤ（識別）番号を有する複数のＶＴＳ３（ＶＴＳ＃１乃至ＶＴＳ＃ｎ）に分割されて記憶されている。ここで、ＶＴＳ（Video Title Set ）とは、関連する（音声、サブピクチャのストリーム数や仕様、対応言語などの属性が同じ）タイトル（映画等の、製作者が視聴者に提示しようとする一つの作品）を一まとめにしたセット（まとまり）であり、より具体的には、例えば、一本の同じ映画について、異なる言語の複数の映画が夫々にタイトルとして記録されたり、又は、同じ映画であっても劇場版と特別版とが夫々別のタイトルとして記憶されたりするものである。また、ＶＴＳ３が記録されている領域の先頭には、ビデオマネージャ２が記録される。このビデオマネージャ２として記録される情報は、例えば、各タイトルの名前を示すメニューや、違法コピー防止のための情報、又は夫々のタイトルにアクセスするためのアクセステーブル等、当該ＤＶＤ１に記録される映像情報及び音声情報の全体に係わる情報が記録される。
【００３１】
次に、一のＶＴＳ３は、コントロールデータ１１を先頭として、夫々にＩＤ番号を有する複数のＶＯＢ１０に分割されて記録されている。ここで、複数のＶＯＢ１０により構成されている部分をＶＯＢセット（ＶＯＢＳ）という。このＶＯＢセットは、ＶＴＳ３を構成する他のデータであるコントロールデータ１１と、映像情報及び音声情報の実体である複数のＶＯＢ１０の部分とを区別するために当該実体部分についてＶＯＢセットとしたものである。
【００３２】
ＶＴＳ３の先頭に記録されるコントロールデータ１１には、複数のセル（セルについては後述する。）を組合わせた論理的区分であるプログラムチェインに関する種々の情報であるＰＧＣＩ（Program Chain Information ）等の情報が記録される。また、各ＶＯＢ１０には、制御情報の他に映像情報及び音声情報の実体部分（制御情報以外の映像又は音声そのもの）が記録されている。
【００３３】
更に、一のＶＯＢ１０は、夫々にＩＤ番号を有する複数のセル２０により構成されている。ここで、一のＶＯＢ１０は、複数のセル２０により完結するように構成されており、一のセル２０が二のＶＯＢ１０に跨がることはない。
【００３４】
次に、一のセル２０は、夫々にＩＤ番号を有する複数のＶＯＢユニット（ＶＯＢＵ）３０により構成されている。ここで、ＶＯＢユニット３０とは、映像情報、音声情報及び副映像情報（映画における字幕等の副映像の情報をいう。）の夫々を含む情報単位である。
【００３５】
そして、一のＶＯＢユニット３０は、ナビパック４１と、映像情報としてのビデオパック４２と、音声情報としてのオーディオパック４３と、副映像情報としてのサブピクチャパック４４とにより構成されている。ここで、ビデオパック４２としては映像データが含まれるパケットとパックヘッダが記録され、オーディオパック４３としては音声データの含まれるパケットとパックヘッダが記録される。また、サブピクチャパック４４としては副映像としての文字や図形等のグラフィックスの含まれるパケットとパックヘッダが記録される。なお、ＤＶＤ１に記録可能な音声は８種類であり、記録可能な副映像の種類は３２種類であることが規格上定められている。
【００３６】
また、一のＶＯＢユニット３０に対応する再生時間（一のナビパック４１と当該一のナビパック４１に隣接するナビパック４１との間に記録されているデータに対応する再生時間）は、０．４秒以上の長さを有するように記録される。
【００３７】
さらに、一のＶＯＢＵにおいてナビパック４１は必ず先頭に存在するが、ビデオパック４２、オーディオパック４３、サブピクチャパック４４の夫々は必ずしも存在する必要はなく、存在する場合もその数や順序は自由である。
【００３８】
最後に、ナビパック４１は、表示させたい映像や音声を検索するための検索情報（具体的には、当該表示させたい映像や音声が記録されているＤＶＤ１上のアドレス等）を含むＤＳＩ（Data Search Information ）パケット５１と、ＤＳＩパケット５１に基づいて検索してきた映像や音声等を表示する際の表示制御に関する情報を含むＰＣＩ（Presentation Control Information）パケット５０とにより構成され、更に、一のＶＯＢＵに含まれている全てのビデオデータは１個以上のＧＯＰ（Group Of Picture）５２により構成されている。なお、ＰＣＩデータには、視聴者によって選択される選択項目に対して、その項目が選択された時の表示制御や動作を定義したハイライト情報が含まれている。ハイライト情報によって、例えば視聴者が選択すべき項目を表示した画像（いわゆるメニュー画面）における、選択された項目に対する画面表示の変化や変化すべき表示位置及び選択した項目に対応するコマンド（選択された項目に対応して実行される命令）の設定が行なわれる。ここで、メニュー画面を構成して表示するために必要な、枠、選択ボタン等を構成して表示するための画像情報は、上記の副映像情報であるサブピクチャパック４４に記録される。
【００３９】
更に、上記ＧＯＰ５２は、本実施の形態におけるＤＶＤ１に画像情報を記録する際に採用されている画像圧縮方式であるＭＰＥＧ２（Moving Picture Experts Group  ２）方式の規格において定められている単独で再生可能な最小の画像単位である。
【００４０】
ここで、ＭＰＥＧ２方式についてその概要を説明すると、一般に、連続したフレーム画像において、一枚のフレーム画像の前後にあるフレーム画像は、互いに類似し相互関係を有している場合が多い。ＭＰＥＧ２方式はこの点に着目し、数フレームを隔てて転送される複数のフレーム画像に基づき、当該複数のフレーム画像の間に存在する別のフレーム画像を、原画像の動きベクトル等に基づく補間演算にて生成する方式である。この場合、当該別のフレーム画像を記録する場合には、複数のフレーム画像との間における差分及び動きベクトルに関する情報を記録するだけで、再生時には、それらを参照して上記複数のフレーム画像から予測して当該別のフレーム画像を再生することが可能となる。これにより、画像の圧縮記録が可能となるのである。
【００４１】
更に、上記ＧＯＰ５２について図２を用いてその概要を説明する。なお図２は、一のＧＯＰ５２を構成する複数のフレーム画像の例を示している。図２では、一のＧＯＰ５２が１２枚のフレーム画像から構成されている場合（ＭＰＥＧ２方式では、一のＧＯＰ５２に含まれるフレーム画像数は一定ではない。）を示しているが、この内、符号「Ｉ」で示されるフレーム画像は、Ｉピクチャ（Intra-coded Picture ：イントラ符号化画像）と呼ばれ、自らの画像のみで完全なフレーム画像を再生することができるフレーム画像をいう。また、符号「Ｐ」で示されるフレーム画像は、Ｐピクチャ（Predictive-coded picture：前方予測符号化画像）と呼ばれ、既に復号化されたＩピクチャ又は他のＰピクチャに基づいて補償再生された予測画像との差を復号化する等して生成する予測画像である。また、符号「Ｂ」で示されるフレーム画像は、Ｂピクチャ（Bidirectionally predictive-coded picture：両方向予測符号化画像）といい、既に復号化されたＩピクチャ又はＰピクチャのみでなく、光ディスク等に記録されている時間的に未来のＩピクチャ又はＰピクチャをも予測に用いて再生される予測画像をいう。図２においては、各ピクチャ間の予測関係（補間関係）を矢印で示している。
【００４２】
なお、本実施形態におけるＤＶＤ１で用いるＭＰＥＧ２方式においては、夫々のＧＯＰ５２に含まれるデータ量が一定でない可変レート方式を採用している。すなわち、一のＧＯＰ５２に含まれる各ピクチャが、動きの速い動画に対応しており、各ピクチャ間の相関関係が小さい場合には、各ピクチャを構成するためのデータ量が多くなる。従って、一のＧＯＰ５２に含まれるデータ量も多くなる。一方、一のＧＯＰ５２に含まれる各ピクチャが、あまり動きのない動画に対応しており、各ピクチャ間の相関関係が大きい場合には、各ピクチャを構成するためのデータ量も少なくなり、一のＧＯＰ５２に含まれるデータ量も少なくなることとなる。
【００４３】
以上説明した図１に示す階層構造の記録フォーマットにおいて、夫々の区分は、製作者がその意図に応じて自在に区分設定をして記録させることができる。これらの区分毎に後述の論理構造に基づいて再生することにより、変化に富んだ種々の再生が可能となるのである。
【００４４】
次に、図１に示す物理的な区分により記録された情報を組合わせた論理的フォーマット（論理構造）について図３を用いて説明する。なお、図３に示す論理構造は、その構造で実際にＤＶＤ１上に情報が記録されているのではなく、図３に示す論理構造で図１に示す各データ（特にセル２０）を組合わせて再生するための情報（アクセス情報又は時間情報等）がＤＶＤ１上の、特にコントロールデータ１１の中に記録されているものである。
【００４５】
説明の明確化のために、図３の下位の階層から説明していくと、上記図１において説明した物理構造のうち、複数のセル２０を選択して組合わせることにより、一のプログラム６０が製作者の意図に基づいて論理上構成される。このプログラム６０は、後述の再生装置におけるシステムコントローラが、区分を識別してコマンドによってアクセスできる最小の論理的単位でもある。なお、このプログラム６０を１個以上まとめたものを、視聴者が自由に選択して視聴することができる最小単位として製作者が定義することもでき、この単位をＰＴＴ（Part Of Title ）という。
【００４６】
また、一のプログラム６０が複数のセル２０を選択して論理的に構成されることから、複数のプログラム６０で一のセル２０を用いる、すなわち、一のセル２０を異なった複数のプログラム６０において再生させる、いわゆるセル２０の使い回しを行うことも可能となっている。
【００４７】
ここで、一のセル２０の番号については、当該セル２０を図１に示す物理フォーマットにおいて取り扱う際にはＶＯＢ１０内における記録順にセルＩＤ番号として扱われ（図１中、セルＩＤ＃と示す。）、図３に示す論理フォーマットにおいて取り扱う際には、後に述べるＰＣＧＩ中の記述順にセル番号として扱われる。
【００４８】
次に、複数のプログラム６０を組合わせて一のＰＧＣ（Program Chain ）６１が製作者の意図に基づいて論理上構成される。このＰＧＣ６１の単位で、前述したＰＧＣＩ（Program Chain Information ）が定義され、当該ＰＧＣＩには、夫々のプログラム６０を再生する際の各プログラム６０の再生順序（この再生順序により、プログラム６０毎に固有のプログラム番号が割当てられる。）、セル２０の再生順序（この再生順序により、セル２０毎に固有のセル番号が割当てられる。）、夫々のセル２０のＤＶＤ１上の記録位置であるアドレス、一のプログラム６０における再生すべき先頭セル２０の番号、各プログラム６０の再生方式及び各種コマンド（ＰＧＣ６１又はセル２０毎に製作者が指定可能なコマンド）が含まれている。なお、ＰＧＣＩのＤＶＤ１上の記録位置は、上述の通り、コントロールデータ１１内であるか、あるいは、ビデオマネージャ２内のメニューに関するＰＧＣＩであればビデオマネージャ２のコントロールデータ（図示せず）内である。
【００４９】
また、一のＰＧＣ６１には、上記ＰＧＣＩの他に、実体的な画像及び音声等のデータがプログラム６０の組合わせとして（換言すれば、セル２０の組合わせとして）含まれることとなる。
【００５０】
更に、一のＰＧＣ６１においては、上記のプログラム６０における説明において示したセル２０の使い回し（すなわち、異なるＰＧＣ６１により、同一のセル２０を用いること。）も可能である。また、使用するセル２０については、ＤＶＤ１に記憶されている順番にセル２０を再生する方法（連続配置セルの再生）の他に、ＤＶＤ１に記憶されている順序に関係なく再生する（例えば、後に記録されているセル２０を先に再生する等）方法（非連続配置セルの再生）を製作者が選択することができる。
【００５１】
次に、一又は複数のＰＧＣ６１により、一のタイトル６２が論理上構成される。このタイトル６２は、例えば、映画一本に相当する単位であり、製作者がＤＶＤ１の視聴者に対して提供したい完結した情報である。
【００５２】
そして、一又は複数のタイトル６２により、一のＶＴＳ６３が論理上構成される。このＶＴＳ６３に含まれるタイトル６２は、夫々に共通の属性を有するものであり、例えば、一本の同じ映画に対して違う言語の映画が夫々のタイトル６２に相当することとなる。また、図３に示す一のＶＴＳ６３に相当する情報は、図１に示す一のＶＴＳ３に含まれている情報に対応している。すなわち、ＤＶＤ１には、図３に示す論理上のＶＴＳ６３内に含まれる全ての情報が一のＶＴＳ３として記録されていることとなる。
【００５３】
以上説明した論理フォーマットに基づいて、物理構造において区分された情報を製作者が指定することにより、視聴者が見るべき映像（映画等）が形成されるのである。
【００５４】
なお、図１に示す物理構造の説明においては、内容の理解の容易化のため、複数のセル２０がＩＤ番号の順に記録されているとして説明したが、実施形態のＤＶＤ１においては、実際には、一のセル２０が図４に示す複数のインターリーブドユニットＩＵに分割されて記録される場合がある。
【００５５】
すなわち、例えば図４に示すように、製作者が一のＰＧＣ６１ＡをＩＤ番号１、２及び４を有するセル２０により構成し、他のＰＧＣ６１ＢをＩＤ番号１、３及び４を有するセル２０により構成する場合を考えると、当該ＰＧＣ６１Ａに基づいてＤＶＤ１から情報を再生する際には、ＩＤ番号１、２及び４を有するセル２０のみを再生し、ＰＧＣ６１Ｂに基づいてＤＶＤ１から情報を再生する際には、ＩＤ番号１、３及び４を有するセル２０のみを再生することとなる。この場合に、セル２０がＩＤ番号毎に分離して記録されていると、例えば、ＰＧＣ６１Ａの場合には、ＩＤ番号２のセル２０のＤＶＤ１上の記録位置からＩＤ番号４のセル２０ＤＶＤ１上の記録位置まで、再生のためのピックアップをジャンプする時間が必要となり、後述の再生装置におけるトラックバッファの容量によっては、ＩＤ番号２のセル２０とＩＤ番号４のセル２０を連続的に再生すること（以下、これをシームレス再生という。）ができなくなる。
【００５６】
そこで、図４に示す場合には、ＩＤ番号２のセル２０とＩＤ番号３のセル２０を、上記トラックバッファにおける入出力処理の速度に対応して、一時的に入力信号の入力が停止しても、出力信号の連続性が損なわれない長さのインターリーブドユニットＩＵ（すなわち、一のインターリーブドユニットＩＵの間だけピックアップがジャンプすることによりトラックバッファへの入力信号が途絶えても、当該トラックバッファからの出力信号を連続的に出力可能な長さのインターリーブドユニットＩＵ）に夫々分解して記録し、例えば、ＰＧＣ６１Ａに基づいて再生する場合には、ＩＤ番号２に対応するセル２０を構成するインターリーブドユニットＩＵのみを連続して検出し、再生することが行われる。同様に、ＰＧＣ６１Ｂに基づいて再生する場合には、ＩＤ番号３に対応するセル２０を構成するインターリーブドユニットＩＵのみを連続して検出し、再生するのである。なお、インターリーブドユニットＩＵの長さは、上述のように、トラックバッファの容量を勘案して決定される他に、トラックジャンプを行うためのスライダモータ等の駆動機構の性能をも加味して決定される場合がある。
【００５７】
このように、製作者の意図によって、一のセル２０を複数のインターリーブドユニットＩＵに分割して記録しておくことにより、飛び飛びのＩＤ番号のセル２０を含むＰＧＣ６１を再生する際にも、トラックバッファから出力される信号は途切れることはなく、従って、視聴者は中断することのない再生画像を視聴することができるのである。
【００５８】
なお、上記インターリーブドユニットＩＵを形成する際には、一のＶＯＢ１０内で完結するように形成され、一のインターリーブドユニットＩＵが隣り合う複数のＶＯＢ１０に跨がることはない。また、インターリーブドユニットＩＵとＶＯＢユニット３０との関係については、一のインターリーブドユニットＩＵ内に一又は複数のＶＯＢユニット３０が含まれ、一のインターリーブドユニットＩＵ内においては一のＶＯＢユニット３０が完結するように構成されており、一のＶＯＢユニット３０が分割されて複数のインターリーブドユニットＩＵに跨がることはない。
【００５９】
以上説明したような種々の階層の情報を記録する必要があるため、上述の記録フォーマットを有する情報は、上記ＤＶＤ１のように、一本の映画を記録する他に、当該映画に対応する音声や字幕等について、複数種類の言語の音声や字幕をも同一の光ディスクに記録することが可能な大きな記憶容量を有する情報記録媒体に特に適している。
【００６０】
次に、上記の物理構造及び論理構造を有する画像情報及び音声情報のうち、特に本発明に係るＶＴＳ属性情報及びＶＴＳ属性情報テーブルについて詳細に説明する。
【００６１】
図５にＶＴＳ属性情報のＤＶＤ１上の記録位置を示す。図示のように、ＶＴＳ属性情報１２は、各ＶＴＳ３内のコントロールデータ１１に含まれる。即ち、全てのＶＴＳ３について、そのコントロールデータ１１内にＶＴＳ属性情報１２が含まれる。ＶＴＳ属性情報とは、そのＶＴＳに含まれる映像情報、音声情報等についての属性、仕様、その再生時における機能等（詳細は後述する）を規定する情報である。従って、図５に示すＶＴＳ属性情報＃ｎは、ＶＴＳ＃ｎに含まれる映像情報等についての属性情報である。
さらに、本発明ではこのＶＴＳ３内に個々に設けられるＶＴＳ属性情報１２の一部又は全部の情報がビデオマネージャ２のコントロールデータ１１内に設けられる。これをＶＴＳ属性情報１２ａとする。即ち、ビデオマネージャ２のコントロールデータ１１内には、そのビデオマネージャの管理下にある全てのＶＴＳ３に関するＶＴＳ属性情報１２ａがまとめて設けられている。このＶＴＳ属性情報１２ａの集合をＶＴＳ属性情報テーブル１３と呼ぶ。
【００６２】
次に、ＶＴＳ属性情報１２ａの具体的な内容について説明する。図５に示すように、一のＶＴＳ属性情報１２ａは複数の属性情報１４ａ乃至１４ｈを含んでいる。なお、ビデオマネージャ２内のＶＴＳ属性情報１２ａは、前述のように各ＶＴＳ３内のＶＴＳ属性情報１２に含まれる属性情報の全部であってもよいし、その一部であっても良い。但し、以下の説明では、ビデオマネージャ２内のＶＴＳ属性情報１２ａは、ＶＴＳ３内のＶＴＳ属性情報１２内の属性情報の一部のみを含むものとする。
【００６３】
属性情報１４ａはＶＴＳのカテゴリーを示し、具体的には図６に示すように、コピーフラグ１５ａ、再生装置限定情報１５ｂ及びアプリケーションタイプ１５ｃを含む。コピーフラグ１５ａは、当該タイトルの情報を他の記録媒体にディジタルコピーすることを許容するか禁止するかを示す情報である。再生装置限定情報１５ｂは、当該タイトルの情報を、ある一定の再生装置に限って再生を認めるか、又は、あらゆる種類の再生装置によって再生することを認めるかを示す情報である。これは、具体的には、業務用に記録されたタイトルを民生用の再生装置で再生することを禁止する場合等に利用される。また、アプリケーションタイプ１５ｃは、当該タイトルに記録された映像情報、音声情報等の種類に関する情報である。
【００６４】
属性情報１４ｂはビデオ属性を示し、具体的には図７に示すようにビデオ圧縮モード１５ｄ、フレームレート１５ｅ、アスペクト比１５ｆ及び表示モード１５ｇを含む。ビデオ圧縮モード１５ａは当該映像情報を記録した際に使用した画像圧縮方法を示し、ＭＰＥＧ１、ＭＰＥＧ２等がある。フレームレート１５ｅは記録された映像情報のフレームレートを示し、ＮＴＳＣ方式の場合の２９．９７／ｓ及びＰＡＬ方式の場合の２５／ｓがある。アスペクト比１５ｆは記録された映像情報のアスペクト比を示し、通常の３対４の他、ワイドＴＶ仕様の９対１６がある。表示モード１５ｇは、ワイドＴＶ仕様の９対１６のアスペクト比を有する映像を通常の３対４の画面で表示する際の表示方法を示し、ワイドＴＶ仕様の映像の左右をカットするパンスキャン表示方式や上下に黒帯び部分を表示するレターボックス表示方式がある。
【００６５】
属性情報１４ｃはオーディオストリーム数であり、当該タイトルに含まれるオーディオストリームの数を示す。ここで、オーディオストリームとは、単位音声情報の集合体をいう。また、属性情報１４ｄは個々のオーディオストリームの属性を示し、具体的には図８に示すように、音声情報の符号化方式１５ｈ、マルチチャンネル情報１５ｉ、オーディオタイプ１５ｊ、アプリケーションＩＤ１５ｋ、量子化ビット数１５ｌ、標本化周波数１５ｍ、チャンネル数１５ｎが含まれる。符号化方式１５ｈはドルビーＡＣ３、リニアＰＣＭ等の符号化方式を規定し、マルチチャンネル情報１５ｉは当該ストリームに対応するマルチチャンネルオーディオストリーム属性情報１４ｈの存在を示し、オーデイオタイプ１５ｊはその音声情報に言語（歌詞等）が含まれているか否かを規定する。アプリケーションＩＤ１５ｋは、その音声情報が多チャンネルである場合のそれらの用途を示し、カラオケ、サラウンド等がある。また、量子化ビット数１５ｌ、標本化周波数１５ｍはそれぞれ当該音声情報の量子化ビット数、標本化周波数を示す。また、チャンネル数１５ｎはその音声情報のチャンネル数を示す。また、属性情報１４ｄには、アプリケーションＩＤによって内容の異なるアプリケーション情報１５ｏも含める。アプリケーション情報１５ｏは、例えばアプリケーションＩＤがカラオケを示しているときは各チャンネルへの音声信号の割り当て、演奏のバージョン、前ふりの有無、ソロかデュエットかなどを示す。これらの属性情報１４ｄがオーディオストリーム数分記述される。
【００６６】
属性情報１４ｅは、サブピクチャストリームの数を示し、属性情報１４ｆはサブピクチャストリームの属性を示す。属性情報１４ｆには、サブピクチャの符号化方式やレターボックス方式、パンスキャン方式等のサブピクチャの表示モードや、サブピクチャの種類（言語か非言語か）等が含まれる。属性情報１４ｇは、前述のマルチチャンネル情報１５ｉでマルチチャンネル属性情報ありとなっているマルチチャンネルオーディオストリームの数を示し、属性情報１４ｈは各マルチチャンネルオーディオストリームの属性を示す。属性情報１４ｈには、チャンネル間のミキシングに関する情報や各チャンネルの内容に関する情報が含まれ、各チャンネルの内容に関する情報としては、例えばカラオケではガイドメロディ、ソロやデュエットの各ガイドメロディの有無などが含まれる。
【００６７】
以上説明したように、本発明においては、各タイトルについての属性情報がＤＶＤ上の最初にアクセスされる位置、即ち、ビデオマネージャ２内にまとめて記録されているので、各ＶＴＳ内のコントロールデータを個々にアクセスすることなく全てのタイトルについての属性情報を迅速に取得することができる。
［２］記録装置の実施形態
次に、上述のＶＴＳ属性情報をＤＶＤ１に記録するための記録装置の実施形態について、図９を用いて説明する。
【００６８】
始めに、本実施形態の記録装置の構成及び動作について説明する。
図９に示すように、本実施形態に係る記録装置Ｓ1 は、ＶＴＲ（Video Tape Recorder ）７０と、メモリ７１と、信号処理部７２と、ハードディスク装置７３及び７４と、コントローラ７５と、多重器７６と、変調器７７と、マスタリング装置７８とにより構成されている。
【００６９】
次に、動作を説明する。
ＶＴＲ７０には、ＤＶＤ１に記録すべき音楽情報や映像情報等の素材である記録情報Ｒが一時的に記録されている。そして、ＶＴＲ７０に一時的に記録された記録情報Ｒは、信号処理部７２からの要求により当該信号処理部７２に出力される。信号処理部７２は、ＶＴＲ１から出力された記録情報ＲをＡ／Ｄ変換した後、ＭＰＥＧ２方式により圧縮処理し、音楽情報と映像情報とを時間軸多重して圧縮多重信号Ｓr として出力する。その後、出力された圧縮多重信号Ｓr は、ハードディスク装置７３に一時的に記憶される。
【００７０】
これらと並行して、メモリ７１は、上記記録情報Ｒを部分記録情報Ｐr に予め区分し、それぞれの部分記録情報Ｐr に関する制御情報等が記載されたキューシートＳＴに基づき、予め入力された当該部分記録情報Ｐr に関する内容情報を一時的に記憶し、信号処理部７２からの要求に基づいて内容情報信号Ｓi として出力する。信号処理部７２は、ＶＴＲ７０から出力される上記記録情報Ｒに対応したタイムコードＴt 及びメモリ７１から出力される内容情報信号Ｓi に基づき、タイムコードＴt を参照して上記部分記録情報Ｐr に対応するアクセス情報信号Ｓacを生成して出力し、当該アクセス情報信号Ｓacがハードディスク装置７４に一時的に記憶される。以上の処理が記録情報Ｒ全体について実行される。
【００７１】
記録情報Ｒの全てについて上記の処理が終了すると、コントローラ７５は、ハードディスク装置７３から圧縮多重信号Ｓr を読み出すとともにハードディスク装置７４からアクセス情報信号Ｓacを読み出し、これらに基づいて付加情報Ｄa を生成し、ハードディスク装置７４に記憶する。本実施形態におけるＶＴＳ属性情報１２の具体的な内容は、各ＶＴＳ毎に予めＤＶＤ１の制作者によって決められており、ハードディスク７４に記憶されている。そして、信号処理部７２の制御により、ＶＴＳ属性情報１４は付加情報Ｄa に含められる。即ち、各ＶＴＳ属性情報１２は、それぞれ各ＶＴＳ３内のコントロールデータ１１に記録される情報として付加情報Ｄa に含められる。また、各ＶＴＳ属性情報１２の一部又は全部の内容が集められ、ＶＴＳ属性情報テーブル１３が構成される。ＶＴＳ属性情報１２ａの集合であるＶＴＳ属性情報テーブル１３は、ビデオマネージャ２のコントロールデータ１１内に記録する情報として付加情報Ｄa に含められる。
【００７２】
一方、コントローラ７５は、上記信号処理部７２、ハードディスク装置７３及びハードディスク装置７４の夫々の動作の時間管理を行い、ハードディスク装置７４から読み出した付加情報Ｄa に対応する付加情報信号Ｓa を出力すると共に圧縮多重信号Ｓr と付加情報信号Ｓa を時間軸多重するための情報選択信号Ｓc を生成して出力する。
【００７３】
その後、圧縮多重信号Ｓr と付加情報信号Ｓa は、情報選択信号Ｓc に基づき、多重器７６により時間軸多重されて情報付加多重圧縮信号Ｓapとして出力される。この情報付加多重圧縮信号Ｓapの段階では、記録すべき情報はコントローラ７５の情報選択信号Ｓc を用いた切り換え動作によって制御信号と映像情報及び音声情報とが合成され、図１に示す物理構造（物理フォーマット）となっている。なお、副映像情報が存在する場合には、図示しないＦＤ装置などの他の手段によって復号処理部７２に入力され、映像、音声情報と同様に処理される。
【００７４】
その後、変調器７７は出力された情報付加圧縮多重信号Ｓapに対してリードソロモン符号等のエラー訂正コード（ＥＣＣ）の付加及び８−１６変調等の変調を施してディスク記録信号Ｓm を生成し、マスタリング装置７８に出力する。
【００７５】
最後に、マスタリング装置７８は、当該ディスク記録信号Ｓm を光ディスクを製造する際のマスタ（抜き型）となるスタンパディスクに対して記録する。そして、このスタンパディスクを用いて図示しないレプリケーション装置により、一般に市販されるレプリカディスクとしての光ディスクが製造される。
【００７６】
以上のようにして、ＶＴＳ属性情報１２が各ＶＴＳ３のコントロールデータ１１内に含められ、ＶＴＳ属性情報１２ａの集合により構成されるＶＴＳ属性情報テーブル１３がビデオマネージャ２のコントロールデータ１１内に含められたＤＶＤが作成される。
［３］再生装置の実施形態
次に、上記の記録装置Ｓ1 によりＤＶＤ１に記録された情報を再生するための再生装置の実施形態を、図１０乃至図１２を用いて説明する。始めに、図１０を用いて、実施形態の再生装置の全体構成及び動作について説明する。
【００７７】
図１０に示すように、本実施形態に係る再生装置Ｓ2 は、ピックアップ８０と、復調訂正部８１と、ストリームスイッチ８２及び８４と、トラックバッファ８３と、システムバッファ８５と、デマルチプレクサ８６と、ＶＢＶ（Video Buffer Verifier ）バッファ８７と、ビデオデコーダ８８と、サブピクチャバッファ８９と、サブピクチャデコーダ９０と、オーディオバッファ９２と、オーディオデコーダ９３と、ＰＣＩバッファ９４と、ＰＣＩデコーダ９５と、ハイライトバッファ９６と、ハイライトデコーダ９７と、入力部９８と、ディスプレイ９９と、システムコントローラ１００と、ドライブコントローラ１０１と、スピンドルモータ１０２と、スライダモータ１０３とにより構成されている。なお、図１０に示す構成は、再生装置Ｓ2 の構成のうち、画像及び音声の再生に関する部分のみを記載したものであり、ピックアップ８０及びスピンドルモータ１０２並びにスライダモータ１０３等をサーボ制御するためのサーボ回路等は従来技術と同様であるので、記載及び細部説明を省略する。
【００７８】
次に、全体動作を説明する。
ピックアップ８０は、図示しないレーザダイオード、偏向ビームスプリッタ、対物レンズ、光検出器等を含み、ＤＶＤ１に対して再生光としての光ビームＢを照射すると共に、当該光ビームＢのＤＶＤ１からの反射光を受光し、ＤＶＤ１上に形成されている情報ピットに対応する検出信号Ｓp を出力する。このとき、光ビームＢがＤＶＤ１上の情報トラックに対して正確に照射されると共に、ＤＶＤ１上の情報記録面で正確に焦点を結ぶように、図示しない対物レンズに対してトラッキングサーボ制御及びフォーカスサーボ制御が施されている。
【００７９】
ピックアップ８０から出力された検出信号Ｓp は、復調訂正部８１に入力され、復調処理及び誤り訂正処理が行われて復調信号Ｓdmが生成され、ストリームスイッチ８２及びシステムバッファ８５に出力される。復調信号Ｓdmが入力されたストリームスイッチ８２は、ドライブコントローラ１０１からのスイッチ信号Ｓsw1 によりその開閉が制御され、閉のときには、入力された復調信号Ｓdmをそのままスルーしてトラックバッファ８３に出力する。一方、ストリームスイッチ８２が開のときには、復調信号Ｓdmは出力されず、不要な情報（信号）がトラックバッファ８３に入力されることがない。
【００８０】
復調信号Ｓdmが入力されるトラックバッファ８３は、ＦＩＦＯ（First In First Out）メモリ等により構成され、入力された復調信号Ｓdmを一時的に記憶すると共に、ストリームスイッチ８４が閉とされているときには、記憶した復調信号Ｓdmを連続的に出力する。トラックバッファ８３は、ＭＰＥＧ２方式における各ＧＯＰ毎のデータ量の差を補償すると共に、インターリーブドユニットＩＵに分割されたデータの読み取りの際等におけるトラックジャンプに起因して不連続に入力される復調信号Ｓdmを連続的に出力し、当該不連続による再生の中断を解消するためのものである。
【００８１】
連続的に復調信号Ｓdmが入力されるストリームスイッチ８４は、デマルチプレクサ８６における分離処理において、後段の各種バッファがオーバーフローしたり、逆に空になってデコード処理が中断することがないように、システムコントローラ１００からのスイッチ信号Ｓsw2 により開閉が制御される。
【００８２】
一方、トラックバッファ８３と並行して復調信号Ｓdmが入力されるシステムバッファ８５は、ＤＶＤ１をローディングしたときに最初に検出され、ＤＶＤ１に記録されている情報全体に関する管理情報（ビデオマネージャ２）やＶＴＳ３のコントロールデータ１１を蓄積して制御情報Ｓc としてシステムコントローラ１００に出力すると共に、情報再生中に上記ナビパック４１毎のＤＳＩパケット５１内のデータを一時的に蓄積し、システムコントローラ１００に制御情報Ｓc として出力する。よって、ＶＴＳ３に含まれるＶＴＳ属性情報１２や、ビデオマネージャ２に含まれるＶＴＳ属性情報テーブル１３はシステムバッファ８５内に蓄積され、制御情報Ｓc としてシステムコントローラ１００へ供給される。システムコントローラ１００は図示しない内部メモリ等にこれらの情報を記憶する。なお、ビデオマネージャ２内に記録された管理情報は、ＤＶＤ１が再生装置にセットされた際、最初に読み取られ、取得される。従って、ビデオマネージャ２内に設けられたＶＴＳ属性情報テーブル１３は、ＤＶＤ１がセットされた直後に取得され、システムコントローラ１００内に記憶されることになる。
【００８３】
ストリームスイッチ８４を介して復調信号Ｓdmが連続的に入力されたデマルチプレクサ８６においては、当該復調信号Ｓdmから映像情報、音声情報、副映像情報及びナビパック４１毎のＰＣＩデータを分離し、ビデオ信号Ｓv 、副映像信号Ｓsp、オーディオ信号Ｓad並びにＰＣＩ信号Ｓpcとして、夫々ＶＢＶバッファ８７、サブピクチャバッファ８９、オーディオバッファ９２及びＰＣＩバッファ９４に出力する。なお、復調信号Ｓdmには、音声情報又は副映像情報として複数の言語が別々のストリームとして含まれている場合があるが、その場合には、システムコントローラ１００からのストリーム選択信号Ｓlcにより所望の言語が夫々選択されてオーディオバッファ９２又はサブピクチャバッファ８９に出力される。
【００８４】
ビデオ信号Ｓv が入力されるＶＢＶバッファ８７は、ＦＩＦＯメモリ等により構成され、ビデオ信号Ｓv を一時的に蓄積し、ビデオデコーダ８８に出力する。ＶＢＶバッファ８７は、ＭＰＥＧ２方式により圧縮されているビデオ信号Ｓv における各ピクチャ毎のデータ量のばらつきを補償するためのものである。そして、データ量のばらつきが補償されたビデオ信号Ｓv がビデオデコーダ８８に入力され、ＭＰＥＧ２方式により復調が行われて復調ビデオ信号Ｓvdとして混合器９１に出力される。
【００８５】
副映像信号Ｓspが入力されるサブピクチャバッファ８９は、入力された副映像信号Ｓspを一時的に蓄積し、サブピクチャデコーダ９０に出力する。サブピクチャバッファ８９は、副映像信号Ｓspに含まれる副映像情報を、当該副映像情報に対応する映像情報と同期して出力するためのものである。そして、映像情報との同期が取られた副映像信号Ｓspがサブピクチャデコーダ９０に入力され、復調が行われて復調副映像信号Ｓspd として混合器９１に出力される。なお、副映像信号Ｓspが、メニュー画面を構成して表示するために必要な、枠、選択ボタン等を構成するための画像情報を含んでいる場合には、システムコントローラ１００からのハイライト制御信号Ｓchに基づき、表示すべき選択ボタン等の表示状態の変更を行って出力する。
【００８６】
ビデオデコーダ８８から出力された復調ビデオ信号Ｓvd及びサブピクチャデコーダ９０から出力された復調副映像信号Ｓspd （対応する復調ビデオ信号Ｓvdとの同期が取れている。）は、混合器９１により混合され、最終的な表示すべき映像信号Ｓvpとして図示しないＣＲＴ（Cathod Ray Tube ）等の表示部に出力される。
【００８７】
次に、オーディオ信号Ｓadが入力されるオーディオバッファ９２は、ＦＩＦＯメモリ等により構成され、入力されたオーディオ信号Ｓadを一時的に蓄積し、オーディオデコーダ９３に出力する。オーディオバッファ９２は、オーディオ信号Ｓadを対応する映像情報を含むビデオ信号Ｓv 又は副映像信号Ｓspに同期して出力させるためのものであり、対応する映像情報の出力状況に応じてオーディオ信号Ｓadを遅延させる。そして、対応する映像情報と同期するように時間調整されたオーディオ信号Ｓadは、オーディオデコーダ９３に出力され、所定のデコードが施されて復調オーディオ信号Ｓadd として図示しないスピーカ等に出力される。なお、アクセス直後の再生等で一時的に音声を中断する（ポーズする）必要があることが検出された場合には、システムコントローラ１００からポーズ信号Ｓcaがオーディオデコーダ９３に出力され、当該オーディオデコーダ９３において一時的に復調オーディオ信号Ｓadd の出力を停止する。
【００８８】
更に、ＰＣＩ信号Ｓpcが入力されるＰＣＩバッファ９４は、ＦＩＦＯメモリ等により構成され、入力されたＰＣＩ信号Ｓpcを一時的に蓄積し、ＰＣＩデコーダ９５に出力する。ＰＣＩバッファ９４は、ＰＣＩ信号Ｓpcに含まれるＰＣＩデータと当該ＰＣＩデータが対応する映像情報、副映像情報等とを同期させ、当該映像情報又は副映像情報等にＰＣＩデータを適用させるためのものである。そして、ＰＣＩバッファ９４により対応する映像情報又は副映像情報等と同期したＰＣＩ信号Ｓpcは、ＰＣＩデコーダ９５によりＰＣＩデータに含まれるハイライト情報が分離され、ハイライト信号Ｓhiとしてハイライトバッファ９６に出力されると共に、ＰＣＩデータのハイライト情報以外の部分がＰＣＩ情報信号Ｓpci としてシステムコントローラ１００に出力される。
【００８９】
ハイライト信号Ｓhiが入力されるハイライトバッファ９６は、ＦＩＦＯメモリ等により構成され、入力されたハイライト信号Ｓhiを一時的に蓄積し、ハイライトデコーダ９７に出力する。ハイライトバッファ９６は、当該ハイライト情報のための画像情報が含まれている副映像信号Ｓspに対応して、ハイライト情報に対応する選択項目の表示状態の変更が正確に行なわれるための時間軸補償を行うためのバッファである。そして、時間軸補償が行われたハイライト信号Ｓhiは、ハイライトデコーダ９７においてデコードされ、当該ハイライト信号Ｓhiに含まれる情報が復調ハイライト信号Ｓhid としてシステムコントローラ１００に出力される。ここで、システムコントローラ１００は、当該復調ハイライト信号Ｓhid に基づき、ハイライト情報による表示状態の変更を行うべく、上記のハイライト制御信号Ｓchを出力することとなる。
【００９０】
システムコントローラ１００は、システムバッファ８５から入力される制御情報Ｓc 、ＰＣＩデコーダ９５から入力されるＰＣＩ情報信号Ｓpci 及びリモコン等の入力部９８から入力される入力信号Ｓinに基づき、それらの信号に対応した正しい再生を行うために上記のスイッチ信号Ｓsw2 、ストリーム選択信号Ｓlc、ポーズ信号Ｓca、ハイライト制御信号Ｓchを出力すると共に、再生装置Ｓ2 の動作状況等を表示するために表示信号Ｓdpを液晶表示装置等のディスプレイ９９に出力する。
【００９１】
更に、システムコントローラ１００は、上記制御信号Ｓc 等により、シームレス再生のためにサーチ等のトラックジャンプの処理が必要であることを検出したときには、ドライブコントローラ１０１に対して、当該トラックジャンプの処理に対応するシームレス制御信号Ｓcsl を出力する。
【００９２】
そして、シームレス制御信号Ｓcsl が入力されたドライブコントローラ１０１は、スピンドルモータ１０２又はスライダモータ１０３に対して駆動信号Ｓd を出力する。この駆動信号Ｓd により、スピンドルモータ１０２又はスライダモータ１０３は、光ビームＢが再生すべきＤＶＤ１上の記録位置に照射されるようにピックアップ２を移動させると共にＤＶＤ１の回転数をＣＬＶ制御する（図１０破線矢印参照）。これと並行して、ドライブコントローラ１０１は、ピックアップ２が移動中であり復調訂正部３から復調信号Ｓdmが出力されないときには、シームレス制御信号Ｓcsl に基づきスイッチ信号Ｓsw1 を出力し、ストリームスイッチ８２を開とすると共に、復調信号Ｓdmが出力され始めると、ストリームスイッチ８２を閉成して復調信号Ｓdmをトラックバッファ８３に出力する。
【００９３】
次に、上記再生装置Ｓ2 の動作のうち、特にＶＴＳ属性情報に関する再生動作について説明する。本発明にかかる再生装置Ｓ2 においては、通常のようにユーザーが希望するタイトルを選択して再生を行う方法の他に、ユーザーがある機能、仕様等を指定し、その機能を満足するタイトルを表示し、そのうちユーザーが指定したタイトルを再生するという方法で再生を行うことができる。以下、この２つの再生方法について説明する。
(1) ユーザーがタイトルを指定する場合
まず、ユーザーがＤＶＤ上のあるタイトルを指定し、再生を行う場合を説明する。この場合の動作を図１１に示す。まず、ユーザーは入力部９８を利用して、再生の対象となるＤＶＤ１に含まれている複数のタイトルのうち再生を希望するものを指定して、再生開始の指示入力を行う（Ｓ１）。すると、システムコントローラ１００は、システムバッファ８５から供給されるＶＴＳ属性情報テーブル１３を参照する。即ち、ＶＴＳ属性情報テーブル１３のうち、ユーザーが指定したタイトルに対応するＶＴＳ属性情報１２ａを検索し、その一部又は全部をディスプレイ９９上に表示する（Ｓ２）。ユーザーは表示された属性情報を見ることにより、自分が指定したタイトルの属性を知ることができる。例えば、ユーザーがある映画を指定した場合、その映像情報がＭＰＥＧ１又はＭＰＥＧ２のいずれの方式によるものか等を知ることができる。また、ユーザーがある曲を指定した場合、その曲はカラオケデあるか否か（即ち、歌詞が入っているか否か）、ステレオであるかモノラルであるか、標本化周波数や量子化ビット数はいくらであるか等の情報を得ることができる。さらに、この表示においては、ユーザーに選択の余地が残されている機能等については、その指定を促す。例えば、映像情報の表示モード（属性情報１４ｂ）において、レターボックス方式とパンスキャン方式の両方で表示が可能である場合、いずれか一方を指定するようにユーザーに指定を促す。ユーザーが指定を行うと（Ｓ３）、システムコントローラ１００は当該タイトルのＶＴＳ３をサーチし、指定された機能等に基づいて再生を開始する（Ｓ４）。上記の例でユーザーがステップＳ３でパンスキャン方式での表示を指定した場合には、ステップＳ１で選択された映画等のタイトルがパンスキャン方式で図示しないモニタに表示されることになる。
【００９４】
また、カラオケでは、属性情報１４ｄとマルチチャンネルオーディオストリームの属性情報１４ｈによって、ガイドメロディやガイドボーカルの有無などが分かるので、例えば、それらの選択を行った後、再生を開始する。なお、ユーザーに選択させるための表示の手段は必ずしもモニタである必要はなく、専用の液晶やＬＥＤであってもよい。また、そのタイトルで実行できない機能が選択されたときは、実行不可能である旨を表示するようにしてもよい。
【００９５】
以上のようにして、ユーザーが希望するタイトルをユーザーが希望する方法で再生することができる。また、本発明においては、ＶＴＳ属性情報１２ａがビデオマネージャ２内にまとめて記録されているので、ユーザーのタイトル指定に対してそのタイトルに対応するＶＴＳ３の記録位置をＤＶＤ上でサーチして、そのＶＴＳ３に含まれるＶＴＳ属性情報１２を読みだすという動作を行う必要がないため、迅速に属性情報をユーザーに知らせ、さらに再生を開始することができる。
(2) ユーザーが機能、仕様等を指定する場合
次に、ユーザーがある機能、仕様等を指定し、それに該当するタイトルの再生を行う場合について説明する。通常の再生においては、ユーザーが希望のタイトルを指定して再生指示を行うのが一般的である。しかし、場合によっては、ＤＶＤに記録されている情報のうちある特定の機能、仕様等を有するもののうちどれかを再生したいという要求もある。例えば、あるＤＶＤに記録された楽曲のうち、カラオケ曲を再生したい、あるいは量子化ビット数が高く高音質のものを再生したいというような場合である。このような場合の再生方法を図１２に示す。
【００９６】
図１２において、まず、ユーザーは希望するある属性を指定する（Ｓ１１）。例えば、「カラオケ曲」という具合である。すると、システムコントローラ１００は、内部メモリ等に記憶されているＶＴＳ属性情報テーブル１３にアクセスし、それに含まれる複数のタイトルのうちからカラオケ曲に関するもののみを検索する（Ｓ１２）。具体的には、ＶＴＳ属性情報テーブル１３内の個々のＶＴＳ属性情報１２ａを参照し、アプリケーションタイプ１５ｃ（図６参照）が「０００１」となっているものを検索する。該当するタイトルが存在しない場合には（Ｓ１３：Ｎｏ）、その旨をディスプレイ９９に表示する等してユーザーに告知する（Ｓ１４）。一方、該当するものが存在する場合には、システムコントローラ１００は該当するタイトルをディスプレイ９９上に表示し、ユーザーにタイトルの指定を促す（Ｓ１５）。ユーザーがタイトルを指定すると（Ｓ１６）、システムコントローラ１００は指定されたタイトルに対応するＶＴＳ属性情報１２ａを参照し、そのタイトルについての属性、仕様等を表示する（Ｓ１７）。この際、ユーザーが指定できる他の機能等が存在すれば、その指定を促す。そして、ユーザーが機能の指定を行うと、システムコントローラ１００は当該タイトルを含むＶＴＳ３をサーチし、再生を開始する。以上のようにして、機能、仕様等の指定により再生を行うことができる。
【００９７】
また、カラオケにおいて、属性情報１４ｄやマルチチャンネルオーディオストリームの属性情報１４ｈを参照して特定の機能、例えば、デュエット曲やガイドメロディ無しの曲などに対応する曲（＝タイトル）を検索することも可能である。この場合は、アプリケーションタイプ１５ｃが「０００１」で、かつ、指定された機能に対応するタイトルを検索し、ユーザーが表示されたタイトルの中で指定を行うと、そのＶＴＳ３をサーチして当該タイトルの再生を開始する。
【００９８】
以上説明したように、本発明によれば、ビデオマネージャ２内にＶＴＳ属性情報テーブルが設けられており、ＤＶＤのセット時にこのＶＴＳ属性情報テーブルが取得され、システムコントローラ内のメモリ等に記憶される。よって、ユーザーがある属性、仕様、機能等を指定した場合、これを参照して直ちに指定された機能等を有するタイトルを検索、表示することができる。即ち、ユーザーが指定した仕様、機能等を有するタイトルを探すのに、個々のＶＴＳ３内に設けられたＶＴＳ属性情報１２全てを検索する必要がない。このため、ユーザーの指示に対して迅速に応答することが可能となる。また、種々の属性情報を規定することにより、いろいろな属性、仕様、機能等に着目して再生を行うことが可能となり、同一のＤＶＤであってもユーザーの嗜好にあった様々な楽しみ方を実現することが可能となる。
【図面の簡単な説明】
【図１】本発明の実施形態に係るＤＶＤの記録フォーマットを示す図である。
【図２】ＤＶＤにおける映像情報を構成するＧＯＰの構成を示す図である。
【図３】本発明の実施形態に係るＤＶＤの論理フォーマットを示す図である。
【図４】インターリーブユニットの構成を示す図である。
【図５】本発明にかかるＶＴＳ属性情報の記録態様を示す図である。
【図６】ＶＴＳ属性情報の一例を示す図である。
【図７】ＶＴＳ属性情報の他の一例を示す図である。
【図８】ＶＴＳ属性情報の他の一例を示す図である。
【図９】本発明の実施形態に係るＤＶＤの記録装置の構成を示すブロック図である。
【図１０】本発明の実施形態に係るＤＶＤの再生装置の構成を示すブロック図である。
【図１１】タイトル指定による再生動作を示すフローチャートである。
【図１２】機能、仕様等の指定による再生動作を示すフローチャートである。
【符号の説明】
１…ＤＶＤ
２…ビデオマネージャ
３、６３…ＶＴＳ
１０…ＶＯＢ
１１…コントロールデータ
２０…セル
３０…ＶＯＢユニット
４１…ナビパック
４２…ビデオパック
４３…オーディオパック
４４…サブピクチャパック
５０…ＰＣＩパケット
５１…ＤＳＩパケット
５２…ＧＯＰ
６０…プログラム
６１、６１Ａ、６１Ｂ…ＰＧＣ
６２…タイトル
７０…ＶＴＲ
７１…メモリ
７２…信号処理部
７３…ハードディスク装置
７４…ハードディスク装置
７５…コントローラ
７６…多重器
７７…変調器
７８…マスタリング装置
８０…ピックアップ
８１…復調訂正部
８２、８４…ストリームスイッチ
８３…トラックバッファ
８５…システムバッファ
８６…デマルチプレクサ
８７…ＶＢＶバッファ
８８…ビデオデコーダ
８９…サブピクチャバッファ
９０…サブピクチャデコーダ
９２…オーディオバッファ
９３…オーディオデコーダ
９４…ＰＣＩバッファ
９５…ＰＣＩデコーダ
９６…ハイライトバッファ
９７…ハイライトデコーダ
９８…入力部
９９…ディスプレイ
１００…システムコントローラ
１０１…ドライブコントローラ
１０２…スピンドルモータ
１０３…スライダモータ
Ｓac…アクセス情報信号
Ｓ1 …記録装置
Ｓ2 …再生装置
ＳＴ…キューシート
【図１】
0003719758.tif 000002
【図２】
0003719758.tif 000003
【図３】
0003719758.tif 000004
【図４】
0003719758.tif 000005
【図５】
0003719758.tif 000006
【図６】
0003719758.tif 000007
【図７】
0003719758.tif 000008
【図８】
0003719758.tif 000009
【図９】
0003719758.tif 000010
【図１０】
0003719758.tif 000011
【図１１】
0003719758.tif 000012
【図１２】
0003719758.tif 000013